(57)【特許請求の範囲】
【請求項１】
ＬｉＢＨ4とＮｉＣｌ2とを含む配合物を混合することにより得られ、アンモニアと反応させるために用いられる混合体。
【請求項２】
前記混合は、混合粉砕である請求項１に記載の混合体。
【請求項３】
前記配合物は、
ＬｉＢＨ4＋ｘＮｉＣｌ2（ｘはモル比；０＜ｘ≦０．３）
で表される組成を有する請求項１又は２に記載の混合体。
【請求項４】
ＬｉＢＨ4とＮｉＣｌ2とを配合する配合工程と、
前記配合工程で得られた配合物を混合する混合工程と、
を備えた混合体の製造方法。
【請求項５】
前記混合工程は、前記配合物を混合粉砕するものである請求項４に記載の混合体の製造方法。
【請求項６】
請求項１から３までのいずれかに記載の混合体と、アンモニアとを反応させる反応工程
を備えた水素ガスの製造方法。
【請求項７】
請求項１から３までのいずれかに記載の混合体を収容するための混合体容器と、
アンモニアを収容するためのアンモニア容器と、
前記アンモニア容器から前記混合体容器に前記アンモニアを供給するためのアンモニア供給装置と、
前記混合体容器内において、前記混合体と前記アンモニアとの反応により生じた水素を前記混合体容器から排出する水素排出装置と、
を備えた水素発生装置。
【請求項８】
前記混合体容器を所定の温度に加熱するための加熱装置をさらに備えた請求項７に記載の水素発生装置。
【発明の詳細な説明】
【技術分野】
【０００１】
本発明は、混合体及びその製造方法、水素ガスの製造方法、並びに、水素発生装置に関し、さらに詳しくは、１００℃程度の温度において水素ガスを発生させることが可能な混合体及びその製造方法、このような混合体を用いた水素ガスの製造方法、並びに、このような混合体を用いた水素発生装置に関する。
【背景技術】
【０００２】
近年、二酸化炭素の排出による地球の温暖化等の環境問題や、石油資源の枯渇等のエネルギー問題から、クリーンな代替エネルギーとして水素エネルギーが注目されている。水素エネルギーの実用化に向けて、水素を安全、かつ、効率的に貯蔵、輸送する技術の開発が重要となる。水素の貯蔵方法にはいくつかの候補があるが、中でも可逆的に水素を貯蔵・放出することのできる水素貯蔵材料を用いる方法は、最も安全に水素を貯蔵・輸送する手段と考えられており、燃料電池車に搭載する水素貯蔵媒体として期待されている。
【０００３】
水素貯蔵材料としては、活性炭、フラーレン、ナノチューブ等の炭素材料や、ＬａＮｉ５、ＴｉＦｅ等の水素吸蔵合金が知られている。これらの内、水素吸蔵合金は、炭素材料に比べて単位体積当たりの水素密度が高いので、水素を貯蔵・輸送するための水素貯蔵材料として有望視されている。
しかしながら、ＬａＮｉ5、ＴｉＦｅ等の水素吸蔵合金は、Ｌａ、Ｎｉ、Ｔｉ等の希少金属を含んでいるため、その資源確保が困難であり、コストも高いという問題がある。また、従来の水素吸蔵合金は、合金自体の重量が大きいために、単位重量当たりの水素密度が小さい、すなわち、大量の水素を貯蔵するためには極めて重い合金を必要とするという問題がある。
【０００４】
そこでこの問題を解決するために、軽元素を含む水素貯蔵材料の開発が試みられている。これまでに開発されている軽元素を含む水素貯蔵材料としては、
（１）  ＬｉＮＨ2、ＬｉＢＨ4等のリチウム（Ｌｉ）を含む錯体水素化物（例えば、特許文献１、非特許文献１等参照）、
（２）  ＮａＡｌＨ4等のナトリウム（Ｎａ）を含む錯体水素化物、
（３）  Ｍｇ(ＮＨ2)2等のマグネシウム（Ｍｇ）を含む錯体水素化物、
などが知られている。
【０００５】
また、軽元素を含む化合物とアンモニアとを反応させることにより水素を発生させる方法も知られている。
例えば、非特許文献２には、次の式（１）及び式（２）が開示されている。
４０℃  ＬｉＢＨ4＋ｎＮＨ3→ＬｉＢＨ4・ｎＮＨ3（ｎ＝１〜４）  ・・・（１）
ＬｉＢＨ4＋ＮＨ3→ＬｉＢＨ3ＮＨ2＋Ｈ2  ・・・（２）
同文献には、
（ａ）  式（１）の水素発生量（理論値）は０ｍａｓｓ％、式（２）の水素発生量（理論値）は５．２ｍａｓｓ％である点、及び、
（ｂ）  式（２）の反応率は０．６％未満であり、実際の水素発生量は０．１ｍａｓｓ％以下である点、
が記載されている。
【０００６】
また、非特許文献３には、アンモニアガス１０００ａｔｍ下での式（３）〜式（６）が開示されている。
２５０℃  ＬｉＢＨ4＋ｎＮＨ3→ＬｉＢＨ4・ｎＮＨ3（ｎ＝１〜４）  ・・・（３）
３００℃  ＬｉＢＨ4＋２ＮＨ3→ＬｉＮＨ2＋ＢＮ＋４Ｈ2  ・・・（４）
ＬｉＢＨ4＋ｎＮＨ3→ＬｉＢＨ4・ｎＮＨ3（ｎ＝１〜４）  ・・・（５）
３５０℃  ＬｉＢＨ4＋２ＮＨ3→ＬｉＮＨ2＋ＢＮ＋４Ｈ2  ・・・（６）
同文献には、
（ａ）  式（３）の水素発生量（理論値）は０ｍａｓｓ％である点、
（ｂ）  式（４）の水素発生量（理論値）は１４．４ｍａｓｓ％であり、反応率は８０％である点、
（ｃ）  式（５）の水素発生量（理論値）は０ｍａｓｓ％であり、式（４）の反応が起こらなかった残りの２０％のＬｉＢＨ4が式（５）に従って反応する点、及び、
（ｄ）  式（６）の水素発生量（理論値）は１４．４ｍａｓｓ％である点、
が記載されている。
【０００７】
また、特許文献２には、ＮＨ3、Ｈ2Ｏなどの液体原料と、ＬｉＨ、Ｍｇ、ＡｌＬｉ、ＬｉＡｌＨ4、ＭｇＨ2、ＮａＢＨ4などの第２原料とを反応させ、水素を発生させる方法、及び、このような方法を実施するための水素発生装置が開示されている。
【０００８】
さらに、特許文献３及び非特許文献４〜６には、ＬｉＢＨ4、ＮａＢＨ4などのボロハイドライドと、ＴｉＣｌ3、ＺｎＣｌ2などの塩化物とを混合粉砕し、粉砕された混合物を熱分解させて水素を放出する方法が開示されている。
非特許文献４〜６には、
（１）ボロハイドライドを熱分解させて水素を放出させる場合において、ボロハイドライドにＴｉＣｌ3を添加すると、より低温において水素を放出する点、及び、
（２）ＮｉＣｌ2は、ボロハイドライドの水素放出温度低下に対してほとんど効果がない点、
が記載されている。
【先行技術文献】
【特許文献】
【０００９】
【特許文献１】特表２００２−５２６６５８号公報
【特許文献２】特開２００９−２３８５７号公報
【特許文献３】特開２００７−１１７９８９号公報
【非特許文献】
【００１０】
【非特許文献１】P.Chen et al.、"Interaction of hydrogen with metal nitrides and imides"、「Nature」、2002年、vol.420/21、p.302-304
【非特許文献２】E.A.Sullivan et al., J.Phys.Chem. 63(1959)233-238
【非特許文献３】О.В.Кравченко  et al.,  Журкал общейц хцмцц.  64(1994)6-11
【非特許文献４】M.Au et al., J.Phys.Chem. C112(2008)18661-18671
【非特許文献５】J.Kostka et al., J.Phys.Chem. C111(2007)14026-14029
【非特許文献６】M.Au et al., J.Phys.Chem. B110(2006)7062-7067
【発明の概要】
【発明が解決しようとする課題】
【００１１】
ＬｉＢＨ4とアンモニアとを反応させて水素を得る方法は、反応温度や圧力だけでなく、アンモニアの供給量によっても水素発生量を制御できるという利点がある。
しかしながら、非特許文献２、３に開示されているように、常圧下におけるＬｉＢＨ4とアンモニアとの反応の反応率は、極めて低い。そのため、この反応を用いて相対的に多量の水素を得るためには、これらを高温高圧下で反応させる必要がある。
【００１２】
本発明が解決しようとする課題は、ＬｉＢＨ4とＮＨ3との反応をより低温・低圧下において生じさせることができ、かつ、相対的に多量の水素を放出することが可能な混合体及びその製造方法、このような混合体を用いた水素ガスの製造方法、並びに、このような混合体を用いた水素発生装置を提供することにある。
【課題を解決するための手段】
【００１３】
上記課題を解決するために本発明に係る混合体は、ＬｉＢＨ4とＮｉＣｌ2とを含む配合物を混合することにより得られ、アンモニアと反応させるために用いられる。
本発明に係る混合体の製造方法は、
ＬｉＢＨ4とＮｉＣｌ2とを配合する配合工程と、
前記配合工程で得られた配合物を混合する混合工程と、
を備えている。
本発明に係る水素ガスの製造方法は、本発明に係る混合体と、アンモニアとを反応させる反応工程を備えている。
【００１４】
さらに、本発明に係る水素発生装置は、
本発明に係る混合体を収容するための混合体容器と、
アンモニアを収容するためのアンモニア容器と、
前記アンモニア容器から前記混合体容器に前記アンモニアを供給するためのアンモニア供給装置と、
前記混合体容器内において、前記混合体と前記アンモニアとの反応により生じた水素を前記混合体容器から排出する水素排出装置と、
を備えている。
水素発生装置は、前記混合体容器を所定の温度に加熱するための加熱装置をさらに備えていても良い。
【発明の効果】
【００１５】
ＬｉＢＨ4とＮＨ3との反応により水素を放出させる場合において、ＬｉＢＨ4にＮｉＣｌ2を添加すると、相対的に低温（具体的には、１００℃程度）で反応が進行し、水素が容易に発生する。これは、ＮｉＣｌ2がＬｉＢＨ4とＮＨ3との反応に対する触媒効果を有しているためと考えられる。
【図面の簡単な説明】
【００１６】
【図１】水素発生装置の概略構成図である。
【図２】ＬｉＢＨ4にＮｉＣｌ2を加えてミリング処理し、アンモニアと反応させた後の試料のＸ線回折パターンである。
【発明を実施するための形態】
【００１７】
以下、本発明の一実施の形態について詳細に説明する。
［１．  混合体］
本発明に係る混合体は、ＬｉＢＨ4とＮｉＣｌ2とを含む配合物を混合することにより得られ、アンモニアと反応させるために用いられる。
【００１８】
［１．１．  配合物の組成］
配合物は、ＬｉＢＨ4とＮｉＣｌ2とを含む。配合物は、ＬｉＢＨ4とＮｉＣｌ2のみからなるのが好ましいが、他の成分がさらに含まれていても良い。但し、ＬｉＢＨ4とＮＨ3との反応を阻害する成分は、少ないほど良い。
他の成分としては、具体的には、
（１）不可避的不純物、
（２）ＮｉＣｌ2以外の添加剤であって、ＬｉＢＨ4とＮＨ3との反応を促進させる作用があるもの（例えば、ＣｏＣｌ2など）、
などがある。
【００１９】
配合物に含まれるＮｉＣｌ2の含有量は、特に限定されるものではなく、目的に応じて最適な量を選択する。
一般に、ＮｉＣｌ2の含有量が多くなるほど、低温低圧下における水素の放出が容易化する。一方、ＮｉＣｌ2を必要以上に添加しても効果に差が無く、実益がない。また、配合物全体に占めるＬｉＢＨ4の含有量が少なくなり、水素放出量が少なくなる。
配合物は、具体的には、
ＬｉＢＨ4＋ｘＮｉＣｌ2（ｘはモル比；０＜ｘ≦０．３）
で表される組成を有するものが好ましい。
【００２０】
［１．２．  混合］
本発明に係る混合体は、上述した配合物を混合することにより得られる。
ここで、「混合」とは、
（１）配合物を軽く攪拌する程度の弱混合、あるいは、
（２）配合物に機械的エネルギーを与え、粉砕しながら均一に混合する混合粉砕、
のいずれでも良い。特に、混合粉砕は、均一な混合体が得られるので、混合方法として好適である。
配合物の混合粉砕を行う場合、粉砕方法、粉砕エネルギー、粉砕時間、粉砕雰囲気などの粉砕条件は、特に限定されるものではなく、目的に応じて最適な条件を選択する。
例えば、遊星ボールミルを用いて混合粉砕を行う場合、粉砕時間は、通常、３０分〜１２時間程度である。粉砕雰囲気は、不活性ガス雰囲気又は水素雰囲気が好ましい。
得られた混合体は、粉末状態のまま使用しても良く、あるいは、粉末を適当な形状及び大きさに成形し、成形体として使用しても良い。
【００２１】
［２．  混合体の製造方法］
本発明に係る混合体の製造方法は、
ＬｉＢＨ4とＮｉＣｌ2とを配合する配合工程と、
前記配合工程で得られた配合物を混合する混合工程と、
を備えている。
配合物の組成及び混合方法については、上述した通りであるので、説明を省略する。
【００２２】
［３．  水素ガスの製造方法］
本発明に係る水素ガスの製造方法は、本発明に係る混合体と、アンモニアとを反応させる反応工程を備えている。
【００２３】
混合体とアンモニアとを反応させる方法は、特に限定されるものではなく、目的に応じて種々の方法を用いることができる。この場合、混合体と反応させるアンモニアは、気体でも良く、あるいは、液体でも良い。
例えば、密閉可能な容器内に混合体を充填し、容器内に液体又は気体のアンモニアを導入し、容器を密閉して所定の温度に加熱すると、容器内に水素が充満する。反応終了後、容器を開放すると、発生した水素を取り出すことができる。
【００２４】
［４．  水素発生装置］
図１に、本発明の一実施の形態に係る水素発生装置の概略構成図を示す。図１において、水素発生装置１０は、混合体容器１２と、アンモニア容器１４と、アンモニア供給装置１６と、水素排出装置１８と、加熱装置２０とを備えている。
【００２５】
混合体容器１２は、本発明に係る混合体２２を収容するためのものである。混合体容器１２の材料、形状等は、特に限定されるものではなく、混合体２２を収容可能なものであればよい。また、アンモニア２４と混合体２２との反応を効率よく進行させるためには、混合体容器１２は、密閉可能なものが好ましい。
アンモニア容器１４は、アンモニア２４を収容するためのものである。アンモニア容器１４の材料、形状等は、特に限定されるものではなく、液体又は気体のアンモニア２４を収容可能なものであれば良い。
【００２６】
アンモニア供給装置１６は、アンモニア容器１４から混合体容器１２にアンモニア２４を供給するためのものである。
例えば、アンモニア容器１４が気体のアンモニア２４を収容するためのものである場合、アンモニア供給装置１６は、混合体容器１２とアンモニア容器１４とを繋ぐ配管１６ａと、配管１６ａを開閉する開閉バルブ１６ｂで構成することができる。
また、アンモニア容器１４が液体のアンモニア２４を収容するためのものである場合、アンモニア供給装置１６は、混合体容器１２とアンモニア容器１４とを繋ぐ配管１６ａと、配管１６ａを介して液体のアンモニア２４を混合体容器１２に供給するポンプ１６ｃで構成することができる。
【００２７】
水素排出装置１８は、混合体容器１２内において、混合体２２とアンモニア２４との反応により生じた水素を混合体容器１２から排出するためのものである。水素排出装置１８は、混合体容器１２に接続された配管１８ａと、配管１８ａを開閉する開閉バルブ１８ｂで構成することができる。
加熱装置２０は、混合体容器１２を所定の温度に加熱するためのものである。加熱装置２０は、必ずしも必要ではない。しかしながら、混合体２２とアンモニア２４の反応は、一般に温度が高くなるほど反応率が高くなる。そのため、加熱装置２０を用いて混合体容器１２を所定の温度に加熱すると、相対的に多量の水素を取り出すのが容易化する。加熱装置２０の構造は、特に限定されるものではなく、混合体容器２０を加熱できるものであればよい。加熱装置２０には、通常、ヒーターや熱交換器が用いられる。
【００２８】
図１に示す水素発生装置１０を用いた水素ガスの製造は、以下のようにして行うことができる。まず、混合体容器１２に混合体を充填し、アンモニア容器１４にアンモニア２４を充填する。次いで、アンモニア供給装置１６を介して、所定量のアンモニア２４を混合体容器１２に供給する。この時、アンモニア２４の混合体容器１２への供給と、混合体容器１２からの水素を含むガスの排出を連続的に行っても良いが、未反応のアンモニア２４の量を低減するためには、所定量のアンモニア２４を混合体容器１２に供給した後、混合体容器１２を密閉するのが好ましい。
混合体容器１２にアンモニア２４を供給し、必要に応じて加熱装置２０を用いて混合体容器１２を所定の温度に加熱すると、混合体容器１２内で混合体２２とアンモニア２４が反応する。得られた水素を含むガスは、混合体容器１２に接続された水素排出装置１８から取り出すことができる。
【００２９】
［５．  混合体及びその製造方法、水素ガスの製造方法、並びに、水素発生装置の作用］
ＬｉＢＨ4、ＮａＢＨ4などのボロハイドライドを加熱すると、ボロハイドライドが熱分解し、水素が発生することが知られている。また、この時、ボロハイドライドにある種の塩化物を加えると、水素発生温度が低下することが知られている。さらに、ボロハイドライドの水素発生温度を低下させる作用が最も大きい塩化物として、ＴｉＣｌ3が知られており、一方、ＮｉＣｌ2は、このような効果がほとんどないことが知られている（例えば、非特許文献４〜６参照。ＮｉＣｌ2に関しては、特に、非特許文献５参照）。
【００３０】
一方、ＬｉＢＨ4とＮＨ3とを所定の条件下で反応させると、式（７）に従い、水素が発生することが報告されている（非特許文献３参照）。この時の水素発生量（理論値）は、１４．４ｍａｓｓ％である。しかしながら、式（７）の反応を効率よく進行させるためには、１０００ａｔｍ程度の高圧と、２５０〜３５０℃程度の高温加熱が必要になる。また、このような過酷な条件下においても、両者を単に反応させる方法では、反応率は、８０％程度（３００℃の場合）に留まっている。
ＬｉＢＨ4＋２ＮＨ3→ＬｉＮＨ2＋ＢＮ＋４Ｈ2    ・・・（７）
【００３１】
これに対し、式（７）に従って、水素を発生させる場合において、ＮｉＣｌ2を共存させると、相対的に低温（具体的には、１００℃程度）で反応が進行し、相対的に多量の水素が発生する。しかも、ＮｉＣｌ2に代えてＴｉＣｌ3を添加しても、低温における水素発生量はごく僅かである。これは、ＬｉＢＨ4とＮＨ3との反応において、ＮｉＣｌ2が高い触媒効果を有しているためと考えられる。
【実施例】
【００３２】
（実施例１）
［１．  試料の作製］
純化したＡｒで満たされたグローブボックス中で、ＬｉＢＨ4とＮｉＣｌ2とをモル比で１：０．０２となるように混合した。その後、室温、アルゴン雰囲気下で、遊星ボールミル装置を用いて２時間ミリング処理した。ミリング後の混合体：０．４３ｇを圧力保持容器に充填し、温度：１５０℃、初期アンモニア圧力：０．８３ＭＰａの条件で１４０時間保持した。
【００３３】
［２．  評価］
保持後の容器内ガス圧力は、０．８８ＭＰａと初期より増加した。容器内ガスの一部を採取し、ガスクロマトグラフで評価したところ、ガス中に８．９ｍｏｌ％の水素ガスが含まれていることが分かった。また、反応後の試料を容器から取り出して粉末Ｘ線回折測定を行ったところ、ＬｉＮＨ2のピークが観測された（図２参照）。さらに、赤外分光スペクトルにおいて、ＢＮに由来するピークが観測された。これらの結果から、上述した式（７）の反応が起きたと考えられる。
【００３４】
（実施例２）
［１．  試料の作製］
純化したＡｒで満たされたグローブボックス中で、ＬｉＢＨ4とＮｉＣｌ2とをモル比で１：０．０２となるように混合した。その後、室温、アルゴン雰囲気下で、遊星ボールミル装置を用いて２時間ミリング処理した。ミリング後の混合体：０．５ｇを圧力保持容器に充填し、温度：１００℃、初期アンモニア圧力：０．８０ＭＰａの条件で１４０時間保持した。
【００３５】
［２．  評価］
保持後の容器内ガス圧力は、０．７８ＭＰａであった。保持後の容器内ガスの一部を採取し、ガスクロマトグラフで評価したところ、ガス中に４．３ｍｏｌ％の水素ガスが含まれていることが分かった。また、反応後の試料を容器から取り出して粉末Ｘ線回折測定を行ったところ、ＬｉＮＨ2のピークが観測された（図示せず）。さらに、赤外分光スペクトルにおいて、ＢＮとＬｉＢＨ4・ｎＮＨ3に由来するピークが観測された。これらの結果から、温度を１００℃にすると、反応率は低下するものの、実施例１と同様の反応が起きたと考えられる。
【００３６】
（比較例１）
［１．  試料の作製］
純化したＡｒで満たされたグローブボックス中で、ＬｉＢＨ4とＴｉＣｌ3とをモル比で１：０．０２となるように混合した。その後、室温、アルゴン雰囲気下で、遊星ボールミル装置を用いて２時間ミリング処理した。ミリング後の混合体：０．５ｇを圧力保持容器に充填し、温度：１００℃、初期アンモニア圧力：０．８０ＭＰａの条件で１４０時間保持した。
【００３７】
［２．  評価］
保持後の容器内ガス圧力は、０．７３ＭＰａであった。保持後の容器内ガスの一部を採取し、ガスクロマトグラフで評価したところ、ガス中に０．３ｍｏｌ％の水素ガスが含まれていることが分かった。また、反応後の試料を容器から取り出して赤外分光スペクトルを測定したところ、ＬｉＢＨ4・ｎＮＨ3に由来するピークが観測された。これらの結果から、従来技術と同様な以下の反応が起きたと考えられる。
ＬｉＢＨ4＋ｎＮＨ3→ＬｉＢＨ4・ｎＮＨ3（ｎ＝１〜４）  ・・・（１）
ＬｉＢＨ4＋ＮＨ3→ＬｉＢＨ3ＮＨ2＋Ｈ2  ・・・（２）
但し、式（１）の水素発生量（理論値）は０ｍａｓｓ％、式（２）の水素発生量（理論値）は５．２ｍａｓｓ％である。また、式（２）の実際の反応率は１％程度である。
【００３８】
（比較例２）
［１．  試料の作製］
室温、アルゴン雰囲気下で、遊星ボールミル装置を用いて、ＬｉＢＨ4を２時間ミリング処理した。ミリング後の粉末：０．５ｇを圧力保持容器に充填し、温度：１００℃、初期アンモニア圧力：０．６０ＭＰａの条件で１４０時間保持した。
【００３９】
［２．  評価］
保持後の容器内ガス圧力は、０．５８ＭＰａであった。保持後の容器内ガスの一部を採取し、ガスクロマトグラフで評価したところ、ガス中に０．１ｍｏｌ％の水素ガスが含まれていることが分かった。また、反応後の試料を容器から取り出して赤外分光スペクトルを測定したところ、ＬｉＢＨ4・ｎＮＨ3に由来するピークが観測された。これらの結果から、比較例１と同様な反応が起きたと考えられる。
【００４０】
以上、本発明の実施の形態について詳細に説明したが、本発明は上記実施の形態に何ら限定されるものではなく、本発明の要旨を逸脱しない範囲内で種々の改変が可能である。
【産業上の利用可能性】
【００４１】
本発明に係る混合体及びその製造方法、水素ガスの製造方法、並びに、水素発生装置は、燃料電池システム用の水素貯蔵手段、超高純度水素製造装置、ケミカル式ヒートポンプ、アクチュエータ、金属−水素蓄電池用の水素貯蔵体等に使用することができる。
【図１】
0005381513.tif 000002
【図２】
0005381513.tif 000003